(57)【要約】      （修正有）【課題】花輪の内部から発光させることを可能とし、また、ゴミの飛来時や花輪自体の転倒時における安全性を確保し、さらに、花輪本体を軽量にすることを可能とする電飾花輪を提供する。【解決手段】電飾花輪１０は、花輪本体１と名札ケース２と脚部３とから構成され、花輪本体１は、その中心部５とその周縁部４とからなり、該中心部５と周縁部４には、エレクトロルミネッセンス発光シートが貼りつけてある。名札ケース２は、背面部６と表面カバー部７から構成され、その背面部６は、エレクトロルミネッセンス発光シートが貼りつけてある。また、発光シートは、樹脂素材のシート状部材により形成されている。【選択図】図１
2005336687.tif 000002
【特許請求の範囲】
【請求項１】
花輪本体と名札ケースと脚部とからなる電飾花輪であって、前記花輪本体および名札ケースは、少なくともその一部が発光板により形成されており、前記発光板は、表面に保護膜、その下に透明電極層、その下に発光層、その下に電極層、最下層に保護膜とが順番に積層され、全体としてシート状に形成され、前記透明電極と前記電極間に電圧を印加することにより、前記発光層が発光するように構成されたエレクトロルミネッセンス発光部材から形成されていることを特徴とする電飾花輪。
【請求項２】
前記花輪本体および名札ケースは、人体検知センサーの信号に基づいて前記エレクトロルミネッセンス発光部材の電源をオンオフする制御手段を有することを特徴とする請求項１に記載された電飾花輪。
【請求項３】
前記花輪本体および名札ケースは、タイマーにより前記エレクトロルミネッセンス発光部材の電源をオン・オフする制御手段を有することを特徴とする請求項１乃至２の何れか一項に記載された電飾花輪。
【請求項４】
前記花輪本体および名札ケースは、リレー信号に基づいて前記エレクトロルミネッセンス発光部材が点滅する制御手段を有することを特徴とする請求項１乃至３の何れか一項に記載された電飾花輪。
【発明の詳細な説明】
【発明の詳細な説明】
【技術分野】
【０００１】本発明は、電飾花輪、特にエレクトロルミネッセンス発光部材を用いた電飾花輪に関する。
【背景技術】
【０００２】従来の電飾花輪は、蛍光灯やライトといった照明を花輪本体に取り付けていた。例えば、特開平８−２１２９４４号公報に開示された発明のように、ライトや蛍光灯を花輪本体に取り付けて、花輪を照らし出す手段が一般的に用いられていた。
【発明が解決しようとする課題】
【０００３】従来技術のようにライトや蛍光灯を用いた場合には、発熱量が大きいため、花輪の内部から発光させることは困難であり、花輪の外部に取り付けられるのが一般的であった。
【０００４】また、ガラスが用いられているライトや蛍光灯がむき出しのまま取り付けられている場合には、風により異物が飛んできた場合や花輪が倒れたときに破損し、安全性の面で不安があった。
【０００５】さらに、従来技術のように花輪本体にライトや蛍光灯を取り付けた場合には、花輪本体が重くなるという欠点も有していた。
【０００６】そこで、本発明は、花輪の内部から発光させることを可能とし、さらに、花輪本体を軽量にすることを可能とする電飾花輪を提供することを目的とする。
【課題を解決するための手段】
【０００７】以上のような課題を解決するため、本願請求項１に記載の発明は、花輪本体と名札ケースと脚部とからなる電飾花輪であって、前記花輪本体および名札ケースは、少なくともその一部が発光板により形成されており、前記発光板は、表面に保護膜、その下に透明電極層、その下に発光層、その下に電極層、最下層に保護膜とが順番に積層され、全体としてシート状に形成され、前記透明電極と前記電極間に電圧を印加することにより、前記発光層が発光するように構成されたエレクトロルミネッセンス発光部材から形成されていることを特徴とする電飾花輪を提供する。
【０００８】発光部材としてエレクトロルミネッセンス発光部材を使用することで、消費電力を押さえることが可能となり、発熱量も少なくすることができる。
【０００９】なお、エレクトロルミネッセンス発光部材は、樹脂シート状部材のため、風による異物の飛来時や花輪自体の転倒時にも安全性が高まる。
【００１０】本願請求項２記載の発明のように、人体検知センサーと、前記人体検知センサーの信号に基づいて前記エレクトロルミネッセンス発光部材の電源のオン・オフを制御する制御手段とを設けて電飾花輪を構成することにより、人体の存在を感知した場合に、エレクトロルミネッセンス発光部材の電源を入れるように構成することができる。
【００１１】ここで、人体検知センサーとしては、赤外線センサー、光センサーなどが考えられる。
【００１２】また、本願請求項３に記載の発明のように、タイマーを設けておき、所定時間が経過した際に、制御手段によりエレクトロルミネッセンス発光部材の電源をオン・オフするように構成することも可能である。
【００１３】さらに、本願請求項４に記載の発明のように、リレー回路を設けて、エレクトロルミネッセンス発光部材を点滅させるようにすることも可能である。
【００１４】ここで、光検知センサーとしては、光導電素子や光起電力素子を利用したもの等が考えられる。
【発明を実施するための最良の形態】
【００１５】上述のように構成される本願発明の実施形態を、図１から図５までを参照して説明する。【００１６】図１は、本願発明の第一の実施形態に係る電飾花輪１０の全体構成を示す正面図である。【００１７】本願発明の第一の実施形態に係る電飾花輪１０は、花輪本体１と名札ケース２と脚部３により構成されており、花輪本体１は、中心部５と周縁部４に分けて形成され、名札ケース２は、背面部６と表面カバー部７に分けて形成されている。また、本実施形態においては、花輪本体１を形成している中心部５及び周縁部４、名札ケース２を形成している背面部６のいずれも図３に示す発光シート１５が用いられている。【００１８】本実施形態に係る電飾花輪１０については、バッテリー８が取り付けられており、電飾花輪１０を電飾することが可能となる。【００１９】図２は、図１に表された本願発明の第一の実施形態に係る電飾花輪１０のＡＡ線における断面図である。【００２０】花輪本体１の中心部５は、その周縁部４と接合されており、さらに、周縁部４は、補助板９に貼り付けられ、該補助板９に脚部２が取り付けられている。【００２１】なお、中心部５には、「祝」の文字を形成しているエレクトロルミネッセンス発光シート１５が取り付けられている。【００２２】名刺ケース２は、図３のように表面カバー部７の中に背面部６が挿入されており、背面部６の表面にはエレクトロルミネッセンス発光シート１５が取りつけられている。【００２３】図４は、本願発明の第一の実施形態に係る電飾花輪１０に用いられているエレクトロルミネッセンス発光シート１５の構造を示す分解図である。【００２４】本実施形態に係る電飾花輪１０に用いられているエレクトロルミネッセンス発光シート１５は、表面に保護膜１１、その下に透明電極層１２、その下に発光層１３、その下に電極層１４、最下層に保護膜１１とが順番に積層されている。【００２５】さらに、本実施形態に係る電飾花輪１０に用いられている発光シート１５は、樹脂素材で作られているため、ガラス管等を使用するライトや蛍光灯を使用する場合と比べて軽量にすることが可能となる。【００２４】図５は、本願発明の第二の実施形態に係る電飾花輪２０の全体構成を示す正面図である。【００２５】本実施形態に係る電飾花輪２０については、上述の第一の実施形態に係る電飾花輪１０に人体検知センサーとしての赤外線センサー１６と赤外線センサー１６に人が反応した場合に、電飾花輪２０のエレクトロルミネッセンス発光シート１５の電源を入れるようにする制御部（花輪本体の裏面に設置されているため、図示せず）を付加した構成となっている。【００２６】ここで、エレクトロルミネッセンス発光シート１５の電源を管理する制御部には、タイマーが設けられており、赤外線センサー１６に人が反応した後、所定時間が過ぎた場合には、エレクトロルミネッセンス発光シート１５の電源を切るようにされている。【００２８】くわえて、該人体検知センサーの代わりに光検知センサーを用いて、電飾花輪２０の周囲が暗くなった場合には、電飾花輪２０のエレクトロルミネッセンス発光シート１５の電源を入れ、タイマーが所定期間の経過を検知した場合には、該電源を切るように構成することも可能である。【００２９】さらに、人体検知センサーや光検知センサーによりエレクトロルミネッセンス発光シート１５の電源のＯＮ・ＯＦＦを管理するのと同時に、電飾花輪２０にスピーカーと音声再生装置を内蔵しておき、該スピーカーと音声再生装置の電源のＯＮ・ＯＦＦを管理するように構成することにより、お経、会葬の礼、音楽等を流すように構成することもできる。【００３０】また、リレー回路を内蔵することによりエレクトロルミネッセンス発光シート１５を点滅させることもできる。
【発明の効果】
【００３１】本願発明を以上のように構成したので、花輪本体１の内部から発光させることができるようになり、また、その消費電力及び発熱量も少なくすることができる。
【００３２】また、エレクトロルミネッセンス発光シート１５が樹脂シート材のため、ゴミの飛来時や花輪の転倒時にも安全性が高まる。
【００３２】さらに、エレクトロルミネッセンス発光シート１５について異なる色彩を発光するものを複数用いることにより、様々な色の光をだすことができるようになる。
【００３３】くわえて、発光板１５を樹脂素材により構成することで、花輪本体を軽量にすることが可能となる。
【図面の簡単な説明】
【図１】本願発明の第一の実施形態に係る電飾花輪１０の全体構成を示す正面図
【図２】図１に表された本願発明の第一の実施形態に係る電飾花輪１０のＡＡ線における断面図
【図３】本願発明の第一の実施形態に係る電飾花輪１０に用いられている名札ケース２の断面構造を示す分解図
【図４】本願発明の第一の実施形態に係る電飾花輪１０に用いられているエレクトロルミネッセンス発光シート１５の構造を示す分解図
【図５】本願発明の第三の実施形態に係る電飾花輪２０の全体構成を示す正面図
【符号の説明】
１    花輪本体
２    名札ケース部
３    脚部
４    花輪本体の周縁部
５    花輪本体の中心部
６    名札ケース背面部
７    名札ケース表面部
８    電源
９    補助板
１１  エレクトロルミネッセンス保護膜
１２  透明電極層
１３  発光層
１４  電極層
１５  エレクトロルミネッセンス発光シート
１６  人感知センサー（赤外線センサー）
１０  本願発明の第一の実施形態に係る電飾花輪
２０  本願発明の第二の実施形態に係る電飾花輪
【図１】
2005336687.tif 000003
【図２】
2005336687.tif 000004
【図３】
2005336687.tif 000005
【図４】
2005336687.tif 000006
【図５】
2005336687.tif 000007